(57)【要約】 【課題】  顧客のランニング時における足首の傾斜角、並びに、走法及び靴の使用目的に基づいて、顧客に最も適した運動靴又はランニングシューズを選定し、提示できるようにした運動靴又はランニングシューズの選定及び提示システムを提供することにある。【解決手段】  靴の使用目的、走法、足首の傾斜角に基づいて、シューズ特性記憶手段に記憶されている靴の中から顧客に好適な靴を選定するためのシューズ選定手段とを備えたことを特徴とする運動靴又はランニングシューズ選定システムである。【選択図】    図１５
2007185328.tif 000002
【特許請求の範囲】
【請求項１】
複数の運動靴又はランニングシューズの用途及び特性を記憶するためのシューズ特性記憶手段と、
運動靴又はランニングシューズの購入希望者の身長又は脚長データと、当該購入希望者の靴の使用目的を記憶するための顧客データ記憶手段と、
当該購入希望者による素足又は素足に近い靴でのランニングの状態から購入希望者の歩幅を算出し、当該算出された歩幅と、前記顧客データ記憶手段に記憶されている身長又は脚長データとから走法に関する走法データを算出するための走法データ判定手段と、
当該購入希望者による素足でのランニングの状態から購入希望者の足首の傾きに関する傾斜角データを算出するための傾斜角判定手段と、
前記顧客データ記憶手段に記憶されている靴の使用目的と、前記走法データと、前記傾斜角データに基づいて、シューズ特性記憶手段に記憶されている靴の中から購入希望者に好適な靴を選定するためのシューズ選定手段と、
を備えたことを特徴とする運動靴又はランニングシューズ選定システム。
【請求項２】
複数の運動靴又はランニングシューズの用途及び特性を記憶するためのシューズ特性記憶手段と、
運動靴又はランニングシューズの購入希望者の身長又は脚長データと、当該購入希望者の靴の使用目的を記憶するための顧客データ記憶手段と、
当該購入希望者による素足又は素足に近い靴でのランニングの状態を側方及び後方又は前方から撮影するための撮影手段と、
当該撮影手段によって得られた購入希望者の側面の画像から購入希望者の歩幅を算出し、当該算出された歩幅と、前記顧客データ記憶手段に記憶されている身長又は脚長データとから走法に関する走法データを算出するための走法データ判定手段と、
前記撮影手段によって得られた購入希望者の後方又は前方の画像から購入希望者の足首の傾きに関する傾斜角データを算出するための傾斜角判定手段と、
前記顧客データ記憶手段に記憶されている靴の使用目的と、前記走法データと、前記傾斜角データに基づいて、シューズ特性記憶手段に記憶されている靴の中から購入希望者に好適な靴を選定するためのシューズ選定手段と、
を備えたことを特徴とする運動靴又はランニングシューズ選定システム。
【請求項３】
前記シューズ特性記憶手段は、靴の重量、耐久性及びソールの硬度特性に関する特徴に応じ、複数種の運動靴又はランニングシューズに適した用途として、本格的なトップレベルの競技参加用、一般的なレベルの競技参加用又はトレーニング用といった使用目的別のカテゴリーに分類して靴の用途を記憶することを特徴とする請求項１又は２に記載の運動靴又はランニングシューズ選定システム。
【請求項４】
前記シューズ特性記憶手段は、靴底の衝撃吸収材が踵部に多く用いられている又は全体的に均等に用いられているといった特徴に応じ、複数種の運動靴又はランニングシューズの特性をストライド走法に向いている又はピッチ走法に向いているというカテゴリーに分類して靴の特性を記憶することを特徴とする請求項１又は２に記載の運動靴又はランニングシューズ選定システム。
【請求項５】
前記シューズの特性記憶手段は、靴底先端部が曲がりやすい又は曲がりにくいといった特徴に応じ、複数種の運動靴又はランニングシューズの特徴をストライド走法に向いている又はピッチ走法に向いているというカテゴリーに分類して靴の特性を記憶することを特徴とする請求項１又は請求項２に記載の運動靴又はランニングシューズ選定方法。
【請求項６】
前記シューズ特性記憶手段は、靴底の硬度が内側ほど高い又は外側ほど高いといった特徴に応じ、複数種の運動靴又はランニングシューズの特性を足首の外方への傾斜の矯正に向いている又は足首の内方への傾斜の矯正に向いているというカテゴリーに分類して靴の特性を記憶することを特徴とする請求項１又は２に記載の運動靴又はランニングシューズ選定システム。
【請求項７】
前記傾斜角判定手段は、購入希望者による靴の装着時におけるランニングの状態から購入希望者の足首の傾きに関する傾斜角データを算出することができ、
前記シューズ選定手段による靴の選定が妥当であったか否かを検証することができることを特徴とする請求項１又は２に記載の運動靴又はランニングシューズ選定システム。
【請求項８】
複数の運動靴又はランニングシューズの用途及び特性を記憶するためのシューズ特性記憶手段と、
それらの運動靴又はランニングシューズの在庫の有無を記憶するための在庫管理手段と、
運動靴又はランニングシューズの購入希望者の身長又は脚長データと、当該購入希望者の靴の使用目的を記憶するための顧客データ記憶手段と、
当該購入希望者による素足又は素足の状態に近い靴でのランニングの状態から購入希望者の歩幅を算出し、当該算出された歩幅と、前記顧客データ記憶手段に記憶されている身長又は脚長データとから走法に関する走法データを算出するための走法データ判定手段と、
当該購入希望者による素足又は素足の状態に近い靴でのランニングの状態から購入希望者の足首の傾きに関する傾斜角データを算出するための傾斜角判定手段と、
前記顧客データ記憶手段に記憶されている靴の使用目的と、前記走法データと、前記傾斜角データに基づいて、シューズ特性記憶手段に記憶されている靴の中から購入希望者に好適な靴を選定するためのシューズ選定手段と、
当該シューズ選定手段によって選定された運動靴又はランニングシューズの内、在庫として存在する運動靴又はランニングシューズを運動靴又はランニングシューズ購入希望者に提示するために、選定された運動靴又はランニングシューズの在庫の有無を前記在庫管理手段について検索するための検索手段と、
を備えていることを特徴とする運動靴又はランニングシューズの提示システム。
【発明の詳細な説明】
【技術分野】
【０００１】
本発明は、運動靴又はランニングシューズの購入希望者（以下、顧客という）の足首の傾き、走法又は靴の使用目的に基づき、当該顧客に適した運動靴又はランニングシューズを選定し、提示できるようにした運動靴又はランニングシューズの選定及び提示システムに関する。
【背景技術】
【０００２】
従来から各種のランナーに適した運動靴又はランニングシューズの構造については様々な研究がされ、様々な構造と特性を有する運動靴又はランニングシューズが製造され、販売されている。
【０００３】
そして、運動靴又はランニングシューズを購入する際には、顧客が店頭へ出かけて好みの運動靴又はランニングシューズを選定している。ここで、各顧客に適した運動靴又はランニングシューズは、本来、顧客のランニング時の足首の傾き又は走法等に基づき選定することが好ましい。
【発明の開示】
【発明が解決しようとする課題】
【０００４】
しかしながら、従来、一般的に、顧客は、運動靴又はランニングシューズを明確な基準によることなく、履き心地、重さ、価格又はデザインに基づいて選定していたため、販売店の店員に勧められる運動靴又はランニングシューズをそのまま購入したり、単に価格とか外観に基づいて選定する場合が多く、各運動靴又はランニングシューズの顧客の身体的特徴（ランニング時の足首の傾き）と、その走法や靴の使用目的に適した運動靴又はランニングシューズを的確に購入することは困難であった。
【０００５】
一方、特許文献１には、図２４に示すように、顧客の足首の傾斜角を測定して、顧客の足首の傾斜角に適した運動靴又はランニングシューズを選定する発明が開示されている。
【特許文献１】特開２００４−３０５３７４  前記特許文献１においては、足の形状を三次元で計測する。そして、該計測によって得た足の形状の三次元データに基づいて、踵断面を含む、前後方向向きの足の二次元断面１００を求める。そして、該二次元断面の左右方向における中心線１０１を求め、地面に対する垂線１０２と該中心線１０１の傾角αから該足の傾斜角を求めるものである。
【０００６】
以上のように、前記特許文献１には、顧客の通常時の足首の傾斜角を測定する旨が開示され、顧客の通常時における足首の静的な傾斜角に基づいて顧客に適した靴を選定する発明が記載されている。
【０００７】
しかし、特許文献１に記載の発明は、顧客が通常の生活において一般的に履く靴を対象にしているものであって、運動靴又はランニングシューズを対象にしているものではない。
【０００８】
つまり、特許文献１においては、顧客は静止した直立の姿勢で計測されるものであって、且つ、足の向きは両足が平行であるため、外旋、内旋は生じず、図２５（a）に示すように、回内、回外が起きずに、足後部の角度は外反、内反の角度の計測のみにとどまるものである。
【０００９】
一方、ランニング時においては、たとえば、距骨下関節の外旋、背屈、外反のそれぞれの方向の回転が重なり、その結果、図２５（b）に示すように、地面に対して傾斜するという現象がある。当該傾斜には、以下の特徴がある。
傾斜は、人によって異なる。
傾斜は、ランニングフォームで異なる。
傾斜は、路面状況で異なる。
傾斜は、運動靴又はランニングシューズによって異なる。
【００１０】
このように、ランニング時の足首の傾斜角は、様々な要因で起きるものであって、顧客が静止した直立の姿勢で当該傾斜角を測定することは不可能である。
【特許文献１】つまり、特許文献１に記載の発明で、顧客に適した運動靴又はランニングシューズを選定することは困難であった。
【００１１】
そこで、本発明は、前記従来技術の実情に鑑みてなされたもので、その目的は、顧客のランニング時における足首の傾斜角、並びに、顧客の身体的特徴、走法及び靴の使用目的に基づいて、顧客に最も適した運動靴又はランニングシューズを選定し、提示できるようにした運動靴又はランニングシューズの選定及び提示システムを提供することにある。
【課題を解決するための手段】
【００１２】
請求項１に記載の発明は、複数の運動靴又はランニングシューズの用途及び特性を記憶するためのシューズ特性記憶手段と、運動靴又はランニングシューズの顧客の身長又は脚長データと、当該顧客の靴の使用目的を記憶するための顧客データ記憶手段と、当該顧客による素足又は素足に近い靴でのランニングの状態から顧客の歩幅を算出し、当該算出された歩幅と、前記顧客データ記憶手段に記憶されている身長又は脚長データとから走法に関する走法データを算出するための走法データ判定手段と、
当該顧客による素足又は素足に近い靴でのランニングの状態から顧客の足首の傾きに関する傾斜角データを算出するための傾斜角判定手段と、前記顧客データ記憶手段に記憶されている靴の使用目的と、前記走法データと、前記傾斜角データに基づいて、シューズ特性記憶手段に記憶されている靴の中から顧客に好適な靴を選定するためのシューズ選定手段とを備えたことを特徴とする運動靴又はランニングシューズ選定システムである。
【００１３】
請求項２に記載の発明は、複数の運動靴又はランニングシューズの用途及び特性を記憶するためのシューズ特性記憶手段と、運動靴又はランニングシューズの購入希望者の身長又は脚長データと、当該顧客の靴の使用目的を記憶するための顧客データ記憶手段と、当該顧客による素足又は素足に近い靴でのランニングの状態を側方及び後方又は前方から撮影するための撮影手段と、当該撮影手段によって得られた顧客の側面の画像から顧客の歩幅を算出し、当該算出された歩幅と、前記顧客データ記憶手段に記憶されている身長又は脚長データとから走法に関する走法データを算出するための走法データ判定手段と、前記撮影手段によって得られた顧客の後方又は前方の画像から顧客の足首の傾きに関する傾斜角データを算出するための傾斜角判定手段と、前記顧客データ記憶手段に記憶されている靴の使用目的と、前記走法データと、前記傾斜角データに基づいて、シューズ特性記憶手段に記憶されている靴の中から顧客に好適な靴を選定するためのシューズ選定手段とを備えたことを特徴とする運動靴又はランニングシューズ選定システムである。
【００１４】
請求項３に記載の発明は、請求項１又は２に記載の運動靴又はランニングシューズ選定システムにおいて、シューズ特性記憶手段は、靴の重量、耐久性及びソールの硬度特性に関する特徴に応じ、複数種の運動靴又はランニングシューズに適した用途として、本格的なトップレベルの競技参加用、一般的なレベルの競技参加用又はトレーニング用といった使用目的別のカテゴリーに分類して靴の用途を記憶することを特徴とするものである。
【００１５】
請求項４に記載の発明は、請求項１又は２に記載の運動靴又はランニングシューズ選定システムにおいて、前記シューズ特性記憶手段は、靴底の衝撃吸収材が踵部に多く用いられている又は全体的に均等に用いられているといった特徴に応じ、複数種の運動靴又はランニングシューズの特性をストライド走法に向いている又はピッチ走法に向いているというカテゴリーに分類して靴の特性を記憶することを特徴とするものである。
【００１６】
請求項５に記載の発明は、請求項１又は２に記載の運動靴又はランニングシューズ選定システムにおいて、前記シューズの特性記憶手段は、靴底先端部が曲がりやすい又は曲がりにくいといった特徴に応じ、複数種の運動靴又はランニングシューズの特徴をストライド走法に向いている又はピッチ走法に向いているというカテゴリーに分類して靴の特性を記憶することを特徴とするものである。
【００１７】
請求項６に記載の発明は、請求項１又は２に記載の運動靴又はランニングシューズ選定システムにおいて、前記シューズ特性記憶手段は、靴底の硬度が内側ほど大きい又は外側ほど大きいといった特徴に応じ、複数種の運動靴又はランニングシューズの特性を足首の外方への傾斜の矯正に向いている又は足首の内方への傾斜の矯正に向いているというカテゴリーに分類して靴の特性を記憶することを特徴とするものである。
【００１８】
請求項７に記載の発明は、請求項１又は２に記載の運動靴又はランニングシューズ選定システムにおいて、前記傾斜角判定手段は、顧客による靴の装着時におけるランニングの状態から顧客の足首の傾きに関する傾斜角データを算出することができ、前記シューズ選定手段による靴の選定が妥当であったか否かを検証することができることを特徴とするものである。
【００１９】
請求項８に記載の発明は、複数の運動靴又はランニングシューズの用途及び特性を記憶するためのシューズ特性記憶手段と、それらの運動靴又はランニングシューズの在庫の有無を記憶するための在庫管理手段と、運動靴又はランニングシューズの顧客の身長又は脚長データと、当該顧客の靴の使用目的を記憶するための顧客データ記憶手段と、当該顧客による素足又は素足の状態に近い靴でのランニングの状態から顧客の歩幅を算出し、当該算出された歩幅と、前記顧客データ記憶手段に記憶されている身長又は脚長データとから走法に関する走法データを算出するための走法データ判定手段と、当該顧客による素足又は素足の状態に近い靴でのランニングの状態から顧客の足首の傾きに関する傾斜角データを算出するための傾斜角判定手段と、前記顧客データ記憶手段に記憶されている靴の使用目的と、前記走法データと、前記傾斜角データに基づいて、シューズ特性記憶手段に記憶されている靴の中から顧客に好適な靴を選定するためのシューズ選定手段と、当該シューズ選定手段によって選定された運動靴又はランニングシューズの内、在庫として存在する運動靴又はランニングシューズを運動靴又はランニングシューズ購入希望者に提示するために、選定された運動靴又はランニングシューズの在庫の有無を前記在庫管理手段について検索するための検索手段とを備えていることを特徴とする運動靴又はランニングシューズの提示システムである。
【発明の効果】
【００２０】
請求項１に記載の発明によれば、顧客の身長又は脚長データと、顧客の歩幅と、運動靴又はランニングシューズの顧客の使用目的、及び顧客のランニング時の足首の傾斜角とから顧客に適した特性の運動靴又はランニングシューズを客観的に選定することができる。
【００２１】
請求項２に記載の発明によれば、撮影手段によって顧客のランニング時の歩幅、及び顧客のランニング時の足首の傾斜を求めることができ、またディスプレイなどの表示装置により傾斜状態を顧客に視覚化することができる。
【００２２】
請求項３に記載の発明によれば、本格的なトップレベルの競技参加用、一般的な競技参加用又はトレーニング用といった使用目的別に顧客に適した運動靴又はランニングシューズを選定することができる。
【００２３】
請求項４に記載の発明によれば、顧客の走法が、ストライド走法又はピッチ走法の別によって、靴底の衝撃部材が踵部に多く用いられている又は全体に均等に用いられているといった特性の運動靴又はランニングシューズを選定することができる。
【００２４】
請求項５に記載の発明によれば、顧客の走法が、ストライド走法又はピッチ走法の別によって、靴底先端部が曲がり易い、又は曲がりにくいといった特性の運動靴又はランニングシューズを選定することができる。
【００２５】
請求項６に記載の発明によれば、ランニング時に、顧客の足首が傾斜傾向にある場合には、傾斜を矯正できる運動靴又はランニングシューズを選定することができる。
【００２６】
請求項７に記載の発明によれば、選定した運動靴又はランニングシューズを顧客が実際に装着した状態で、顧客の足首の傾斜角を求めることにより、選定した運動靴又はランニングシューズが適したものであるか否かを検証することができる。
【００２７】
請求項８に記載の発明によれば、顧客に適した運動靴又はランニングシューズであって在庫中に存在するものを顧客に提示することができる。
【発明を実施するための最良の形態】
【００２８】
本実施形態の運動靴又はランニングシューズ選定システムは、顧客自身の客観的なデータを求め、当該顧客のデータに適した特性を有する運動靴又はランニングシューズを選定するシステムである。
【００２９】
運動靴又はランニングシューズＫを選定する際に重要な顧客のデータとしては、顧客の走法データ、運動靴又はランニングシューズＫの使用目的、並びに、顧客のランニング時の足首の傾斜に関するデータが該当する。
【００３０】
前記走法データとは、顧客の走法が、ストライド走法とピッチ走法との何れの走法であるかを意味する。図１に示すように、ストライド走法は、歩幅が広い走法であって、図２に示すように、着地の際には、運動靴又はランニングシューズＫの踵部Ｋ１から着地する一方、図３に示すように、つま先Ｋ２で地面を後方へ強く蹴り出すようにして前進する点に特徴を有する走法であって、比較的上下動の大きな走法である。
【００３１】
一方、ピッチ走法とは、図４に示すように、歩幅が狭い走法であって、図５に示すように、着地の際には、靴裏Ｋ３全体で着地する点に特徴を有する走法であって、ストライド走法と比較した場合に、図６に示すように、後方への蹴り出しは小さいが、小股でランニングするため、足の動きが素早く、且つ、上下動の比較的小さな走法である。このように、双方の走法は全く対称的であるため、顧客の走法が何れの走法であるかによって、顧客に適した運動靴又はランニングシューズＫの選定が大きく左右されるものである。
【００３２】
つまり、顧客の走法から顧客に適した運動靴又はランニングシューズＫを選択する場合、顧客がストライド走法の場合には、着地の際に、踵部Ｋ１の衝撃吸収が大きく、しかも、ソールの反発力を利用して、つま先Ｋ２で地面を強く後方へ蹴り出すことができるように撓み特性の大きな運動靴又はランニングシューズＫが当該顧客に適している。
【００３３】
一方、顧客がピッチ走法の場合には、素早く足を動かすことでスピードを得ることができるように、着地、体重移動、蹴り出しという足の動きを速くできるように、ソールが柔軟に対応できるように撓み特性の小さな運動靴又はランニングシューズＫが当該顧客に適している。
【００３４】
又、前記運動靴又はランニングシューズＫの使用目的とは、顧客が運動靴又はランニングシューズＫを、本格的なトップレベルの競技参加用に用いるものか、又は、一般的なレベルの競技参加用やトレーニング用に用いるものかを意味する。つまり、顧客が運動靴又はランニングシューズＫを、本格的なトップレベルの競技参加用に用いる場合には、軽量であって、ソールの硬度が比較的大きな運動靴又はランニングシューズＫが適しているものである。一方、顧客が運動靴又はランニングシューズＫを、一般的なレベルの競技参加用やトレーニングに用いる場合には、運動靴又はランニングシューズＫが長期間使用できるように耐久性があって、しかも、足に作用する負担を軽くするために、ソールの硬度が比較的小さなものが適している。このように、顧客が、運動靴又はランニングシューズＫを何れの使用目的に用いるかも、当該運動靴又はランニングシューズＫを選択する際の重要な要素になるものである。
【００３５】
更に、前記顧客のランニング時の足首の傾斜に関するデータとは、顧客がランニング時において、図７（a）に示すように、正常状態にあるか、又は、図７（ｂ）に示すように、プロネーション（以下、回内という）であるか、更には、図７（c）に示すように、サピネーション（以下、回外という）の何れの状態であるかを意味する。図７は、右足の足首近傍を後方から観た状態を示す図である。ここで、回内とは、距骨下関節における、外旋、背屈及び外反が起きることで、ふくらはぎの中心線Ｌと、足後部中心線Ｍが、一直線にならずに、同図７（b）に示すように、ふくらはぎの中心線Ｌが外側に傾いた状態をいう。又、回外とは、距骨下関節における、内旋、底屈及び内反が起きることで、ふくらはぎの中心線Ｌと、足後部中心線Ｍが、一直線にならずに、同図７（c）に示すように、ふくらはぎの中心線Ｌが内側に傾いた状態をいう。又、過回内とは回内が過度に進行した状態であり、過回外とは回外が過度に進行した状態をいうものである。顧客の足首が、過回内、又は過回外である場合に、運動靴又はランニングシューズＫの選定を間違った場合には、ランニングを継続することによって、大きな足の障害に繋がる虞がある。回内、又は回外が進行していない場合、即ち、回内傾向（軽度の回内）、又は回外傾向（軽度の回外）であっても、ランニングを継続することによって、大きな足の障害に繋がる虞がある。回内及び回外は足の状態であって、意識して調整することが困難である。このような場合には、顧客に適した運動靴又はランニングシューズＫを選定することにより、回内又は回外を矯正することができる。
【００３６】
顧客の足首が回内の場合には、図８に示すように、運動靴又はランニングシューズＫが（a）の状態から、（b）の状態のように、靴底の内側がつぶれるように変形してしまうため、（c）に示すように、靴底の内側Ｋ４が堅い素材で形成された運動靴又はランニングシューズＫが当該顧客に適している。一方、顧客の足首が回外の場合には、図９に示すように、運動靴又はランニングシューズＫが（a）の状態から、（b）の状態に示すように、靴底の外側がつぶれるように変形してしまうため、（c）に示すように、靴底の外側Ｋ５が堅い素材で形成された運動靴又はランニングシューズＫが当該顧客に適している。図８、図９は右側の運動靴又はランニングシューズＫを後方から観ている状態を示す。
【００３７】
本実施形態に係わる運動靴又はランニングシューズ選定システムは、以上の観点から、顧客に適した運動靴又はランニングシューズＫを客観的に選定できるシステムである。
【００３８】
本実施形態に係わる運動靴又はランニングシューズ選定システムの構成を図１０に示す。当該選定システム１は、入力手段２と、パーソナルコンピュータ（以下、ＰＣと言う）本体３と、走行機Ｒとを備えている。
【００３９】
入力手段２は、キーボード４と、撮影手段５を備えている。キーボード４からは顧客の氏名や性別、身長、脚長等が入力され、又、複数の運動靴又はランニングシューズＫの用途や特性が入力される。
【００４０】
ここで、複数の運動靴又はランニングシューズＫの用途とは、各運動靴又はランニングシューズＫが、本格的なトップレベルの競技参加用、一般的な競技参加用又はトレーニング用であるかを意味する。又、複数の運動靴又はランニングシューズＫの特性とは、各運動靴又はランニングシューズＫがストライド走法の顧客に適しているか又はピッチ走法の顧客に適しているかの特性が該当する。当該特性には、重量、耐久性、ソールの硬度特性や、図２に示すように、靴底の衝撃吸収材が踵部Ｋ１に多く用いられているか、又は、図５に示すように、靴裏Ｋ３に全体的に均等に用いられているかという特性、更には、図３に示すように、靴底先端部Ｋ２が曲がり易いか、又は、図６に示すように、曲がりにくいかという特性が該当する。又、運動靴又はランニングシューズＫの特性には、図９（ｃ）に示すように、靴底の外側Ｋ５が硬いか、図８（c）に示すように、内側Ｋ４が硬いかの特性、即ち、回内の足首の顧客に適しているか、又は、回外の足首の顧客に適しているかの特性も該当する。
【００４１】
図２に示すように、靴底の衝撃吸収材が踵部Ｋ１に多く用いられているか、又は、図５に示すように、全体的に均等に用いられているかは、たとえば以下のようにして、数値化される。図１１は、運動靴又はランニングシューズＫを側方から見た状態の図であって、該運動靴又はランニングシューズＫの前側と後側に、直径２０mmで１０kgの円柱を落下させた時の衝撃時の加速度IF、IRを測定して、シューズの衝撃特性（IR/IF）を求めることにより、図１１（a）に示すように、靴底の衝撃吸収材が踵部Ｋ１に多く用いられているか、又は、図１１（b）に示すように、靴裏Ｋ３に全体的に均等に用いられているかを数値化することができる。
【００４２】
又、図３に示すように、靴底先端部Ｋ２が曲がり易いか、又は、図６に示すように、曲がりにくいかという特性は、たとえば以下のようにして数値化できる。図１２は、運動靴又はランニングシューズＫを側方から見た状態の図であって、運動靴又はランニングシューズＫを離間した二つの支柱Ｓ，Ｓ上に置き、この支柱Ｓ，Ｓ間の中心において、運動靴又はランニングシューズＫに上方から荷重を加えるようにしている。そして、荷重が加えられた状態において、荷重点における運動靴又はランニングシューズＫの撓み量を測定して、荷重／撓み量を演算することにより、靴底先端部が撓み易いか、又は撓みにくいかというシューズの撓み特性Ｋｓを数値化できるものである。
【００４３】
更に、図８に示すように、靴底の内側Ｋ４が硬いか、図９に示すように、外側Ｋ５が硬いかの特性はたとえば以下のようにして数値化させることができる。図１３は、右側の運動靴又はランニングシューズＫを後方から観た状態の図である。そして、運動靴又はランニングシューズＫの内側Ｋ４と外側Ｋ５にそれぞれ上方から荷重を加えた場合において、外側Ｋ５の部分のバネ定数Ｆｏと内側Ｋ４の部分のばね定数Ｆｉとを測定し、シューズの傾斜特性Ｆｉ／Ｆｏを求めることにより、靴底の内側Ｋ４が硬いか、外側Ｋ５が硬いかの特性を数値化させることができる。
【００４４】
図１０に示すように、前記撮影手段５は、走行機Ｒ上でランニングする顧客を撮影するために、当該顧客の側方から顧客を撮影する第１カメラ７と、当該顧客の前方又は後方から顧客を撮影する第２カメラ８とから構成される。第１カメラ７は、図１４に示すように、顧客のランニング時の歩幅Ｈを特に撮影できるように位置設定されている。又、第２カメラ８は、図７に示すように、顧客のランニング時の足首の角度を特に撮影できるように位置設定されている。
【００４５】
図１０に示すように、前記走行機Ｒは、駆動輪９と従動輪１０とにベルト１１を巻回し、駆動輪９を電動モータ（図示せず）で回転駆動させる構成であって、ベルト１１上で顧客がランニングできるようになっている。該電動モータは前記ＰＣ本体３に制御されてベルト１１のランニングスピードを増減制御するように構成されている。該ＰＣ本体３は、ベルト１１上をランニングする顧客の心拍数等に基づきベルトのランニングスピードを増減制御するようにプログラムで設定されている。
【００４６】
図１０に示すように、前記ＰＣ本体３は、ディスプレイ１２を備えている。該ＰＣ本体３は、ＣＰＵ（図示せず）と、記憶手段とを備えている。該記憶手段には、予め所定にプログラムが内蔵され、ＣＰＵが該プログラムを読み出すことにより、図１５に示すように、シューズ特性記憶手段１３と、顧客データ記憶手段１４と、走法データ判定手段１５と、傾斜角判定手段１６と、シューズ選定手段１７と、検索手段１８と、在庫管理手段１９とが構成されるものである。
【００４７】
前記シューズ特性記憶手段１３には、運動靴又はランニングシューズＫを用途別と、特性別に記憶されている。ここで、用途別に運動靴又はランニングシューズＫを記憶するとは、運動靴又はランニングシューズＫを本格的なトップレベルの競技参加用、一般的なレベルの競技参加用又はトレーニング用といった使用目的別のカテゴリに分類して運動靴又はランニングシューズＫを記憶することを意味する。又、特性別に運動靴又はランニングシューズＫを記憶するとは、顧客の走法が、ストライド走法、又はピッチ走法のカテゴリーに分けて運動靴又はランニングシューズＫを記憶することを意味する。更に、特性別に運動靴又はランニングシューズＫを記憶するとは、図９（c）に示すように、靴底の硬度が外側Ｋ５ほど大きいか、又は、図８（c）に示すように、内側Ｋ４ほど大きいかといったカテゴリーに分けて運動靴又はランニングシューズＫを記憶することも意味する。運動靴又はランニングシューズＫの前記用途、及び特性は、キーボード４から入力されるものである。
【００４８】
前記顧客データ記憶手段１４には、顧客の氏名、性別、顧客の身長又は脚長データ等が記憶される。これらの顧客データは、図１０に示すキーボードから入力されるものである。
【００４９】
前記走法データ判定手段１５は、顧客のランニング時の歩幅と、顧客の身長又は脚長に基づき、顧客の走法がストライド走法かピッチ走法かを判定する手段である。顧客の歩幅は、図１０に示す第１カメラ７で撮影された画像データから顧客の平均的な歩幅Ｈ（図１４に示す）を測定することにより求められる。又、顧客の身長や脚長は、身長計等で実測することにより求めることができる。そして、走法データ判定手段は、歩幅及び身長又は脚長に基づき、歩幅／身長、又は歩幅／脚長*２を演算することによって、顧客の走法がストライド走法かピッチ走法かを判定することができるものである。ここで、本実施形態において、身長とは、足裏から頭頂部までの長さであり、脚長とは、足裏から転子点までの長さである。図１６に示すように、上式の演算結果が、１．０以上の場合には、顧客の走法がストライド走法で、１．０以下の場合には、ピッチ走法であると判定される。顧客の歩幅を求める場合、顧客は、素足、又は、素足に近い靴で走行機Ｒの上で実際にランニングすることにより、装着した場合の靴に左右されることのない、各顧客の本来の正確な歩幅を求めることができる。
【００５０】
図１５に示す傾斜角判定手段１６は、図１０に示す第２カメラ８で撮影された画像データに基づき、顧客のランニング時の足首の傾斜角度を求める手段である。顧客のランニング時の足首の傾斜角度を求めることにより、顧客の足首が正常であるか、又は、回内であるか、更には、回外であるかを判定できるものである。ここで、顧客のランニング時の足首の傾斜角とは、図７中、ふくらはぎの中心線Ｌと、足後部中心線Ｍとで形成される角度θをいう。顧客のランニング時の足首の傾斜角を求める場合、顧客は、素足、又は、素足に近い靴で走行機Ｒの上で実際にランニングすることにより、たとえば、クッション性を備えた厚みのある靴を用いた場合とは異なり、靴に左右されることのない、各顧客の足首の本来の正確な傾斜角を求めることができる。
【００５１】
次に、図１７を参照して、顧客の足首の傾斜角の測定のタイミングについて説明する。先ず、同図１７（a）は、顧客が静止している時の脚の状態を概念的に示す側面図である。又、同図１７（b）は、顧客がランニング中の脚の状態を概念的に示す側面図である。同図１７（b）に示すように、ランニングは、大きく分けて、着地期、体重移動期、蹴出期からなる。
【００５２】
そして、図１７（c）は、顧客が同図に示すように静止している時における顧客の右足の足首を後方から観た状態の図である。又、図１７（d）は、図１７（b）に示すように、ランニング中での体重移動期における顧客の右足の足首を後方から観た状態の図である。図１７（b）と図１７（d）とを対比して明確なように、足首の傾斜角は、図１７（b）に示す静止した直立時と、図１７（d）に示すランニング中とでは、全く異なるものである。しかも、図１７（d）に示すランニング中では、体重移動期において、足首に最大荷重が加わるため、当該体重移動期において足首の傾斜角を測定し、適切な運動靴又はランニングシューズを顧客に選定することができるものである。
【００５３】
図１５に示すシューズ選定手段１７は、同図１５に示す顧客データ記憶手段１４に記憶されている運動靴又はランニングシューズＫの使用目的と、前記走法データと、前記傾斜角データに基づいて、同図１５に示すシューズ特性記憶手段１３に記憶されている運動靴又はランニングシューズＫの内から顧客に好適な運動靴又はランニングシューズＫを選定する手段である。図１８乃至図２０を参照して、前記シューズ選定手段１７が、顧客に好適な運動靴又はランニングシューズＫを選定する手法について説明する。
【００５４】
先ず、図１８は、ストライド走法又はピッチ走法を示す走法特性ＳＲと、前記シューズの衝撃特性IR／IFとの関係を示す。図１８（a）は一般的なレベルの競技参加用の運動靴又はランニングシューズＫについての走法特性ＳＲとシューズの衝撃特性IR／IFとの関係を示し、図１８（b）はトレーニング用の運動靴又はランニングシューズＫについての走法特性ＳＲとシューズの衝撃特性（IR／IF）との関係を示す。尚、運動靴又はランニングシューズＫの使用目的が、本格的なトップレベルの競技参加用、一般的なレベルの競技参加用又はトレーニング用であるかの別は、キーボードのキー操作によって選択することができる。
【００５５】
両図１８（a），図１８（b）に示すように、走法特性ＳＲが０．６から１．０までがピッチ走法であって、１．０から１．１までがストライド走法である。そして、同図１８（a）に示すように、一般的なレベルの競技参加用の運動靴又はランニングシューズＫの場合には、ピッチ走法においては、シューズの衝撃特性（IR／IF）が０．６０から１．１２の間の運動靴又はランニングシューズＫが適しているものとして選定し、一方、ストライド走法においては、シューズの衝撃特性（IR／IF）が１．１２から１．４の間の運動靴又はランニングシューズＫが適しているものとして選定する。
【００５６】
又、同図（b）に示すように、トレーニング用の運動靴又はランニングシューズＫの場合には、ピッチ走法においては、シューズの衝撃特性（IR／IF）が０．６０から１．１９の間の運動靴又はランニングシューズＫが適しているものとして選定し、一方、ストライド走法においては、シューズの衝撃特性が１．１９から１．３０の間の運動靴又はランニングシューズＫが適しているものとして選定する。
【００５７】
次に、図１９は、ストライド走法又はピッチ走法を示す走法特性ＳＲと、前記シューズの撓み特性Ｋｓとの関係を示す。図１９（a）は一般的なレベルの競技参加用の運動靴又はランニングシューズＫについての走法特性ＳＲとシューズの撓み特性Ｋｓとの関係を示し、図１９（b）はトレーニング用の運動靴又はランニングシューズＫについての走法特性ＳＲとシューズの撓み特性Ｋｓとの関係を示す。
【００５８】
図１９（a）に示すように、一般的なレベルの競技参加用の運動靴又はランニングシューズＫの場合には、ピッチ走法においては、シューズの撓み特性Ｋｓが０．９から１．５の間の運動靴又はランニングシューズＫが適しているものとして選定し、一方、ストライド走法においては、シューズの撓み特性Ｋｓが１．５から１．８の間の運動靴又はランニングシューズＫが適しているものとして選定する。
【００５９】
又、図１９（b）に示すように、トレーニング用の運動靴又はランニングシューズＫの場合には、ピッチ走法においては、シューズの撓み特性Ｋｓが０．９から１．３の間の運動靴又はランニングシューズＫが適しているものとして選定し、一方、ストライド走法においては、シューズの撓み特性Ｋｓが１．３から１．４の間の運動靴又はランニングシューズＫが適しているものとして選定する。
【００６０】
次に、顧客の足首の傾斜角に基づき、顧客に適した運動靴又はランニングシューズＫを選定する手法について図２０を参照して説明する。図２０は、足首の傾斜角と、シューズの傾斜特性（Ｆｉ／Ｆｏ）との関係について示す。同図２０に示すように、傾斜角が０度から−５度の範囲が回外傾向であって、傾斜角が０度から１５度の範囲が正常であって、傾斜角が１５度から２０度の範囲が回内傾向である。そして、顧客が回外傾向である場合には、シューズの傾斜特性が０．９から１．０の範囲の運動靴又はランニングシューズＫが当該顧客に適しているとして選定する。又、顧客が正常範囲内である場合には、シューズの傾斜特性が１．０から１．３の範囲の運動靴又はランニングシューズＫが当該顧客に適しているとして選定する。更に、顧客が回内傾向である場合には、シューズの傾斜特性が１．３から１．４の範囲の運動靴又はランニングシューズＫが当該顧客に適しているとして選定する。
【００６１】
図２１は、前述の図１８と図２０を１つの図にまとめた図である。尚、同図２１は一般的なレベルの競技参加用の運動靴又はランニングシューズＫを選定する場合について図示している。同図２１の縦軸は、足首の傾斜角とシューズの傾斜特性（Ｆｉ／Ｆｏ）を示し、横軸は、走法特性ＳＲとシューズの衝撃特性（IR／IF）を示している。
【００６２】
同図２１には、それぞれの特性の運動靴又はランニングシューズＡ，Ｂ、Ｃ、Ｄ、Ｅが記載され、又、顧客の状態Xが記載されている。同図２１に示すように、顧客の状態Xに一致する特性の運動靴又はランニングシューズＫがない場合には、顧客の状態Xに最も近い運動靴又はランニングシューズＤが選定される。
【００６３】
図２２は、前述の図１９と図２０を１つの図にまとめた図である。尚、同図２２は一般的なレベルの競技参加用の運動靴又はランニングシューズＫを選定する場合について図示している。同図２２の縦軸は、足首の傾斜角とシューズの傾斜特性（Ｆｉ／Ｆｏ）を示し、横軸は、走法特性ＳＲとシューズの撓み特性Ｋｓを示している。
【００６４】
次に、図１５に示す検索手段１８及び在庫管理手段１９について説明する。在庫管理手段１９は、店に在庫として存在する運動靴又はランニングシューズＫについて、前記走法特性ＳＲ、シューズの衝撃特性（IR／IF）、シューズの撓み特性Ｋｓを記憶しておき、検索手段１８は、図１５に示すシューズ選定手段１７の選定結果に一致するか又は最も近い特性の運動靴又はランニングシューズＫをディスプレイに表示して顧客に提示するものである。
【００６５】
次に、図２３を参照しながら、顧客に適した運動靴又はランニングシューズＫを選定する手法について説明する。ステップＳ１において、顧客の氏名、身長、脚長等をキーボードから入力すると、これらの顧客データは図１５に示す顧客データ記憶手段１４に記憶される。
【００６６】
次に、ステップＳ２において、キーボード４をキー操作することにより、顧客が、運動靴又はランニングシューズＫを本格的なトップレベルの競技参加用に用いるものか、一般的なレベルの競技参加用又はトレーニング用に用いるかを選択する。
【００６７】
次に、ステップＳ３において、図１０に示す走行機Ｒの上で顧客がランニングしている状態を同図１０に示す第１カメラ７で側面から撮影し、又、第２カメラ８で顧客の正面又は真後ろから撮影する。
【００６８】
ステップＳ４において、顧客の身長又は脚長と、歩幅に基づき、顧客の走法がストライド走法かピッチ走法かを判定する。
【００６９】
一方、ステップＳ５において、図１５に示す傾斜角判定手段１６が、顧客の足首の傾斜角を求める。ステップＳ６において、顧客の足首の傾斜角が矯正可能範囲外の場合には、ステップＳ７において、医師の治療を推奨する。
【００７０】
ステップＳ６において、顧客の足首の傾斜角が矯正可能範囲内の場合には、ステップＳ８において、顧客の足首の傾斜角と歩幅に基づき、図１５に示すシューズ選定手段１７が、顧客に適した運動靴又はランニングシューズＫを選定する。
【００７１】
そして、図１５に示す検索手段１８が顧客に提示した運動靴又はランニングシューズＫを顧客が装着して、ステップＳ９において、走行機Ｒ上でランニングを実施し、ステップＳ１０において、その状態を第２カメラ８で撮影することにより、顧客の足首の傾斜角を求め、ステップＳ１１において当該運動靴又はランニングシューズが顧客に適していることを検証した場合には終了する一方、適していない場合には、ステップＳ８に戻って以上の工程と同様の工程を実行する。
【００７２】
以上説明したように、本実施形態においては、顧客のデータと運動靴又はランニングシューズＫの特性とに基づき、顧客に適した特性の運動靴又はランニングシューズＫを客観的に選定することができるものである。
【００７３】
本発明は、前記実施形態に限定されるものではなく、例えば、走法を判定するため脚長データとして、足裏から股下までの長さを用いたり、着用しているズボンの丈（長さ）を用いて適宜適切な計算を行うようにしても良い。
【００７４】
本発明は、前記実施形態に限定されるものではなく、例えば、ランニングシューズ、運動靴に使用される新素材により、それぞれの判定値、上限値、下限値などを適切な尺度に調整しても良い。
【図面の簡単な説明】
【００７５】
【図１】ストライド走法の状態を概念的に示す図である。
【図２】ストライド走法における着地時の踵の状態を示す図である。
【図３】ストライド走法において、つま先で地面を蹴り出すようにして前進する状態を示す図である。
【図４】ピッチ走法の状態を概念的に示す図である。
【図５】ピッチ走法における着地時の踵の状態を示す図である。
【図６】ピッチ走法において、つま先の状態を示す図である。
【図７】ランニング時における足首の傾斜を示す図である。
【図８】ランニング時における足首の傾斜を矯正する状態を示す図である。
【図９】ランニング時における足首の傾斜を矯正する状態を示す図である。
【図１０】本実施形態の構成を示す図である。
【図１１】運動靴又はランニングシューズに荷重を加えてシューズの衝撃特性を求める状態を示す図である。
【図１２】運動靴又はランニングシューズに荷重を加えてシューズの撓み特性を求める状態を示す図である。
【図１３】運動靴又はランニングシューズに荷重を加えてシューズの傾斜特性を求める状態を示す図である。
【図１４】顧客のランニング時の状態を示す図である。
【図１５】本実施形態のブロック構成図である。
【図１６】シューズの走法特性と、ストライド走法及びピッチ走法との関係を示す図である。
【図１７】足首の傾斜角を測定するタイミングを示す図である。
【図１８】シューズの走法特性と、シューズの衝撃特性との関係を示す図である。
【図１９】シューズの走法特性と、シューズの撓み特性との関係を示す図である。
【図２０】顧客のランニング時の足首の傾斜角と、シューズの傾斜特性の関係を示す図である。
【図２１】足首の傾斜角及びシューズの傾斜特性と、シューズの走法特性及びシューズの衝撃特性との関係を示す図である。
【図２２】足首の傾斜角及びシューズの傾斜特性と、シューズの走法特性及びシューズの撓み特性との関係を示す図である。
【図２３】フローチャートである。
【図２４】従来技術によって顧客の足首の傾斜角を計測する手法を示すである。
【図２５】静止直立の場合と、ランニング時における足首の傾斜の状態を示す図である。
【符号の説明】
【００７６】
１  運動靴又はランニングシューズの選定システム
１３  シューズ特性記憶手段
１４  顧客データ記憶手段
１５  走法データ判定手段
１６  傾斜角判定手段
１７  シューズ選定手段
１８  検索手段
【図１】
2007185328.tif 000003
【図２】
2007185328.tif 000004
【図３】
2007185328.tif 000005
【図４】
2007185328.tif 000006
【図５】
2007185328.tif 000007
【図６】
2007185328.tif 000008
【図７】
2007185328.tif 000009
【図８】
2007185328.tif 000010
【図９】
2007185328.tif 000011
【図１０】
2007185328.tif 000012
【図１１】
2007185328.tif 000013
【図１２】
2007185328.tif 000014
【図１３】
2007185328.tif 000015
【図１４】
2007185328.tif 000016
【図１５】
2007185328.tif 000017
【図１６】
2007185328.tif 000018
【図１７】
2007185328.tif 000019
【図１８】
2007185328.tif 000020
【図１９】
2007185328.tif 000021
【図２０】
2007185328.tif 000022
【図２１】
2007185328.tif 000023
【図２２】
2007185328.tif 000024
【図２３】
2007185328.tif 000025
【図２４】
2007185328.tif 000026
【図２５】
2007185328.tif 000027